(57)【要約】【課題】必要なカードのみを綴じて利用できる、ノート及びそのカード用紙を提供する。【解決手段】本発明のノート１０００のカード用紙１１０は、複数のカード１５０を合わせた大きさの紙１１０であって、綴じ具１０に綴じるための貫通孔１１２を有する一方の端縁１１４と、それよりカードの長さ分を離れた他方の端縁１１６と、前記一方の端縁と他方の端縁とを結ぶ第１の交差端縁１２０及び第２の交差端縁１２２とを備え、前記第１の交差端縁と第２の交差端縁とは、カード１５０の幅を複数合わせた長さ分を離れ、その間において、カード１５０の幅に対応する間隔をおいて、カード形成のための切り離しミシン目１２４を穿設されて、カード領域を形成され、前記切り離しミシン目１２４は、複数の貫通孔１１２を挟んで形成されて、各カード領域に、全て複数の貫通孔１１２が形成され、前記切り離しミシン目で切り離された各カード１５０は、綴じ具に綴じられた状態でカードを形成している。【選択図】図１
2014208412.tif 000002
【特許請求の範囲】
【請求項１】
複数のカードを合わせた大きさを有し、その表面及び／又は裏面に記載をできる紙であって、
前記紙は、綴じ具に綴じるために並列された複数の貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、
前記第１の交差端縁と第２の交差端縁とは、カードの幅を複数合わせた長さ分を離れ、
前記第１の交差端縁と第２の交差端縁との間において、カードの幅に対応する間隔をおいて、カード形成のための切り離しミシン目を、一方の端縁と他方の端縁との間に亘って、前記並列された貫通孔の列と直交する方向に穿設されて、カード領域を形成され、
前記切り離しミシン目は、複数の貫通孔を挟んで形成されて、各カード領域に、全て複数の貫通孔が形成され、
前記切り離しミシン目において切り離された各カードは、前記貫通孔に貫挿された綴じ具に綴じられた状態においてカードを構成するように形成された、ノートのカード用紙。
【請求項２】
カード用紙を綴じる綴じ具は、
表紙に設けられ、
綴じ具に綴じるための貫通孔に挿入される綴環を有し、
前記綴環は、複数並列され、
前記綴環の数は、カード用紙の貫通孔の数より多く、
カード用紙の下端縁より下方に、綴環が存在し且つ表紙の下端縁とカード用紙の下端縁との間に空間が形成される、請求項１に記載のノートのカード用紙。
【請求項３】
前記切り離しミシン目と前記他方の端縁との交差領域に、切り離しミシン目の切り離しを容易にするための切り欠き部を形成された、請求項１又は請求項２に記載のノートのカード用紙。
【請求項４】
複数のカードを合わせた大きさを有し、その表面及び／又は裏面に記載をできる紙と、前記紙を覆う表紙と、前記表紙に設けられた綴じ具とを備え、
前記紙は、
綴じ具に綴じるための貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、
前記第１の交差端縁と第２の交差端縁とは、カードの幅を複数合わせた長さ分を離れ、
前記第１の交差端縁と第２の交差端縁との間において、カードの幅に対応する間隔をおいて、カード形成のための切り離しミシン目を、一方の端縁と他方の端縁との間に亘って穿設されて、カード領域を形成され、
前記切り離しミシン目は、複数の貫通孔を挟んで形成されて、各カード領域に、全て複数の貫通孔が形成され、
前記切り離しミシン目において切り離された各カードは、前記貫通孔に貫挿された綴じ具に綴じられた状態においてカードを構成するように形成された、
ノート。
【請求項５】
カード用紙を綴じる綴じ具は、
表紙に設けられ、
綴じ具に綴じるための貫通孔に挿入される綴環を有し、
前記綴環は、複数並列され、
前記綴環の数は、カード用紙の貫通孔の数より多く、
カード用紙の下端縁より下方に、綴環が存在し且つ表紙の下端縁とカード用紙の下端縁との間に空間が形成される、請求項４に記載のノート。
【発明の詳細な説明】
【技術分野】
【０００１】
本発明は、ノート及びそのカード用紙に関し、特に、例えばノートのカード用紙を切り離して、暗記用カードとして用いることができるノート及びそのカード用紙に関する。
【背景技術】
【０００２】
従来、英単語等を暗記するために、単語カード又は単語帳というものがある。
例えば、単語等を記載するカードを、整理具で積層したものがある（特許文献１）。
また、罫線によって区画された区画内に単語等を印刷できるように形成された用紙を有する単語帳がある（特許文献２）。
また、紙面に単語等が印刷された印刷物であって、切り取り予定線によってカードを形成できるようにした用紙を製本した印刷物がある（特許文献３）。
【先行技術文献】
【特許文献】
【０００３】
【特許文献１】特開２００７−１３６９７３号公報
【特許文献２】特開２００４−３３０６４０号公報
【特許文献３】特開２００７−１３６９５２号公報
【発明の概要】
【発明が解決しようとする課題】
【０００４】
特許文献１及び特許文献２のようなカードは、必要なもののみを集積でき、カードの入れ替えもできる。
しかしながら、カードは、嵩張るため携帯に不便であり、体系的に整理保管するにも適さない。
特許文献３のような一枚の単語シートは、不要なものを外して、必要なもののみを集積することができず、整理に適さない。
【０００５】
それゆえに、この発明の主たる目的は、必要なカードのみを綴じて利用できる、ノート及びそのカード用紙を提供することである。
【課題を解決するための手段】
【０００６】
請求項１の発明にかかるノートのカード用紙は、複数のカードを合わせた大きさを有し、その表面及び／又は裏面に記載をできる紙であって、前記紙は、綴じ具に綴じるために並列された複数の貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、前記第１の交差端縁と第２の交差端縁とは、カードの幅を複数合わせた長さ分を離れ、前記第１の交差端縁と第２の交差端縁との間において、カードの幅に対応する間隔をおいて、カード形成のための切り離しミシン目を、一方の端縁と他方の端縁との間に亘って、前記並列された貫通孔の列と直交する方向に穿設されて、カード領域を形成され、前記切り離しミシン目は、複数の貫通孔を挟んで形成されて、各カード領域に、全て複数の貫通孔が形成され、前記切り離しミシン目において切り離された各カードは、前記貫通孔に貫挿された綴じ具に綴じられた状態においてカードを構成するように形成された、ノートのカード用紙である。
この発明の請求項２にかかるノートのカード用紙においては、カード用紙を綴じる綴じ具は、表紙に設けられ、綴じ具に綴じるための貫通孔に挿入される綴環を有し、前記綴環は、複数並列され、前記綴環の数は、カード用紙の貫通孔の数より多く、カード用紙の下端縁より下方に、綴環が存在し且つ表紙の下端縁とカード用紙の下端縁との間に空間が形成される、請求項１に記載のノートのカード用紙である。
この発明の請求項３にかかるノートのカード用紙は、前記切り離しミシン目と前記他方の端縁との交差領域に、切り離しミシン目の切り離しを容易にするための切り欠き部を形成された、請求項１又は請求項２に記載のノートのカード用紙である。
この発明の請求項４にかかるノートは、複数のカードを合わせた大きさを有し、その表面及び／又は裏面に記載をできる紙と、前記紙を覆う表紙と、前記表紙に設けられた綴じ具とを備え、前記紙は、綴じ具に綴じるための貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、前記第１の交差端縁と第２の交差端縁とは、カードの幅を複数合わせた長さ分を離れ、前記第１の交差端縁と第２の交差端縁との間において、カードの幅に対応する間隔をおいて、カード形成のための切り離しミシン目を、一方の端縁と他方の端縁との間に亘って穿設されて、カード領域を形成され、前記切り離しミシン目は、複数の貫通孔を挟んで形成されて、各カード領域に、全て複数の貫通孔が形成され、前記切り離しミシン目において切り離された各カードは、前記貫通孔に貫挿された綴じ具に綴じられた状態においてカードを構成するように形成された、ノートである。
この発明の請求項５にかかるノートおいては、カード用紙を綴じる綴じ具は、表紙に設けられ、綴じ具に綴じるための貫通孔に挿入される綴環を有し、前記綴環は、複数並列され、前記綴環の数は、カード用紙の貫通孔の数より多く、カード用紙の下端縁より下方に、綴環が存在し且つ表紙の下端縁とカード用紙の下端縁との間に空間が形成される、請求項４に記載のノートである。
【発明の効果】
【０００７】
請求項１の発明によれば、複数のカードを合わせた大きさを有し、その表面及び／又は裏面に記載をできる紙であって、前記紙は、綴じ具に綴じるために並列された複数の貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、前記第１の交差端縁と第２の交差端縁とは、カードの幅を複数合わせた長さ分を離れ、前記第１の交差端縁と第２の交差端縁との間において、カードの幅に対応する間隔をおいて、カード形成のための切り離しミシン目を、一方の端縁と他方の端縁との間に亘って、前記並列された貫通孔の列と直交する方向に穿設されて、カード領域を形成され、前記切り離しミシン目は、複数の貫通孔を挟んで形成されて、各カード領域に、全て複数の貫通孔が形成され、前記切り離しミシン目において切り離された各カードは、前記貫通孔に貫挿された綴じ具に綴じられた状態においてカードを構成するように形成されているので、カード片に分割する前は、体系的に纏めて利用でき、各カード片に分割した後は、必要に応じて不要なカードを外して入れ替えて、各カード片を集積できるため、繰り返し見る等利用価値を高めることができる。
請求項２の発明によれば、カード用紙を綴じる綴じ具は、表紙に設けられ、綴じ具に綴じるための貫通孔に挿入される綴環を有し、前記綴環は、複数並列され、前記綴環の数は、カード用紙の貫通孔の数より多く、カード用紙の下端縁より下方に、綴環が存在し且つ表紙の下端縁とカード用紙の下端縁との間に空間が形成されているので、分割されたカード片が、垂れ下がって表紙より食み出すことがない。
請求項３の発明によれば、前記切り離しミシン目と前記他方の端縁との交差領域に、切り離しミシン目の切り離しを容易にするための切り欠き部を形成されているので、切り欠き部から容易に且つ美麗に切り離しミシン目で切り離すことができる。
請求項４の発明によれば、複数のカードを合わせた大きさを有し、その表面及び／又は裏面に記載をできる紙と、前記紙を覆う表紙と、前記表紙に設けられた綴じ具とを備え、前記紙は、綴じ具に綴じるための貫通孔を近傍に有する一方の端縁と、前記一方の端縁とはカードの長さ分を離れた他方の端縁と、前記一方の端縁と他方の端縁とを結ぶ第１の交差端縁と、前記一方の端縁と他方の端縁とを結ぶ第２の交差端縁とを備え、前記第１の交差端縁と第２の交差端縁とは、カードの幅を複数合わせた長さ分を離れ、前記第１の交差端縁と第２の交差端縁との間において、カードの幅に対応する間隔をおいて、カード形成のための切り離しミシン目を、一方の端縁と他方の端縁との間に亘って穿設されて、カード領域を形成され、前記切り離しミシン目は、複数の貫通孔を挟んで形成されて、各カード領域に、全て複数の貫通孔が形成され、前記切り離しミシン目において切り離された各カードは、前記貫通孔に貫挿された綴じ具に綴じられた状態においてカードを構成するように形成されているので、カード片に分割する前は、体系的に纏めて利用でき、各カード片に分割した後は、必要に応じて不要なカードを外して入れ替えて、各カード片を集積できるため、繰り返し見る等利用価値を高めることができるノートを提供することができる。
請求項５の発明によれば、カード用紙を綴じる綴じ具は、表紙に設けられ、綴じ具に綴じるための貫通孔に挿入される綴環を有し、前記綴環は、複数並列され、前記綴環の数は、カード用紙の貫通孔の数より多く、カード用紙の下端縁より下方に、綴環が存在し且つ表紙の下端縁とカード用紙の下端縁との間に空間が形成されているので、分割されたカード片が、垂れ下がって表紙より食み出すことがない。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明にかかる一実施の形態のカード用紙の正面図解図である。
【図２】図１図示カード用紙の背面図解図である。
【図３】カード用紙を分割して利用する方法を示す斜視図解図である。
【図４】カード用紙を纏めノートとした状態を示す斜視図解図である。
【図５】図４図示ノートの利用形態を示す斜視図解図である。
【図６】図４図示ノートの利用形態を示す底面図解図である。
【図７】図４図示ノートの変形の実施の形態であるノートの斜視図解図である。
【図８】この発明にかかるノートの綴じ具の斜視図解図であり、（Ａ）は全体の図で、（Ｂ）は部分的に拡大した図である。
【図９】この発明にかかるノートの綴じ具の斜視図解図であり、（Ａ）は全体の図で、（Ｂ）は部分的に拡大した図であり、（Ｃ）（Ｄ）は半割杆の図である。
【図１０】第１綴じ具部材の斜視図解図である。
【図１１】第２綴じ具部材の斜視図解図である。
【図１２】この発明にかかるノートの綴じ具を分解した状態における斜視図解図である。
【図１３】閉じた状態における綴じ具の正面図解図である。
【図１４】閉じた状態における綴じ具の背面図解図である。
【図１５】図１３Ａ−Ａ断面図解図である。
【図１６】図１３Ｂ−Ｂ断面図解図である。
【図１７】開き始めた状態における綴じ具の正面図解図である。
【図１８】開き始めた状態における綴じ具の背面図解図である。
【図１９】開いた状態における綴じ具の正面図解図である。
【図２０】開いた状態における綴じ具の背面図解図である。
【図２１】図１９Ａ−Ａ断面図解図である。
【図２２】図１９Ｂ−Ｂ断面図解図である。
【図２３】ノートのカード用紙の開き方を示す平面図解図であり、（Ａ）は閉じた状態の図で、（Ｂ）は半分捲った状態の図で、（Ｃ）は３６０度捲った状態の図である。
【図２４】変形例の斜視図解図である。
【図２５】変形例の綴じ具を分解した状態における斜視図解図である。
【図２６】図２５図示綴じ具の断面図解図であり、（Ａ）は閉じた状態の断面図解図であり、（Ｂ）は開いた状態の断面図解図である。
【図２７】綴じ具の説明図である。
【図２８】ノートの説明図であり、（Ａ）は全体の図であり、（Ｂ）はカード用紙の図である。
【発明を実施するための形態】
【００１０】
本発明の一実施の形態であるノートのカード用紙について、主として図１ないし図７に基づいて説明する。
【００１１】
図１は、この発明にかかる一実施の形態のカード用紙の正面図解図であり、図２は、図１図示カード用紙の背面図解図であり、図３は、カード用紙を分割して利用する方法を示す斜視図解図であり、図４は、カード用紙を纏めノートとした状態を示す斜視図解図であり、図５は、図４図示ノートの利用形態を示す斜視図解図である。
【００１２】
ノート１０００は、複数枚のカード用紙１１０が綴じ代側端縁である一方の端縁１１４において、綴じ具１０に綴じられて帳面にされている。ノート１０００は、集積されるカード用紙１１０の表面及び裏面側に綴じ具１０に綴じられた表紙１０１０を備える。
表紙１０１０は、表面側の表表紙１０１２と、裏面側の裏表紙１０１４とを備える。
【００１３】
カード用紙１１０は、複数のカード１５０を合わせた大きさを有し、その表面及び／又は裏面に、英単語等を記載できる紙である。
前記カード用紙１１０は、綴じ具１０に綴じるために並列された複数の貫通孔からなる綴じ穴１１２を近傍に有する一方の端縁１１４と、前記一方の端縁１１４とはカード１５０の長さ分を離れた他方の端縁１１６と、前記一方の端縁１１４と他方の端縁１１６とを結ぶ第１の交差端縁１２０と、前記一方の端縁１１４と他方の端縁１１６とを結ぶ第２の交差端縁１２２とを備える。
一方の端縁１１４は、綴じ代側端縁を構成する。
他方の端縁１１６は、前小口側端縁を構成する。
第１の交差端縁１２０は、カード用紙１１０の上端縁を構成し、第２の交差端縁１２２は、カード用紙１１０の下端縁を構成する。
【００１４】
前記第１の交差端縁１２０と第２の交差端縁１２２とは、カード１５０の幅を複数合わせた長さ分を離れている。すなわち、カード用紙１１０の高さ方向における長さは、カード１５０の幅を複数合わせた長さであり、カード用紙１１０の幅方向における長さは、カード１５０の長手方向の長さと同じである。
第１の交差端縁１２０と第２の交差端縁１２２との間において、複数のカード（第１カード片１５０1，第２カード片１５０2，第３カード片１５０3，第４カード片１５０4及び第５カード片１５０5）を形成するように構成されている。
【００１５】
前記第１の交差端縁１２０と第２の交差端縁１２２との間において、カード１５０の幅に対応する間隔をおいて、第１カード片１５０1，第２カード片１５０2，第３カード片１５０3，第４カード片１５０4及び第５カード片１５０5を形成するための切り離しミシン目１２４を、一方の端縁１１４と他方の端縁１１６との間に亘って、前記並列された綴じ穴１１２の列と直交する方向に穿設されて、カード１５０の領域を形成されている。
切り離しミシン目１２４は、第１の交差端縁１２０と第２の交差端縁１２２との間において、複数段形成され、それぞれが等間隔に平行に形成されている。
【００１６】
切り離しミシン目１２４は、第１の交差端縁１２０と第２の交差端縁１２２との間において、４条の切り離し線、すなわち、第１の切り離しミシン目１２４1，第２の切り離しミシン目１２４2，第３の切り離しミシン目１２４3及び第４の切り離しミシン目１２４4で構成されている。
前記各第１の切り離しミシン目１２４1，第２の切り離しミシン目１２４2，第３の切り離しミシン目１２４3及び第４の切り離しミシン目１２４4は、複数の綴じ穴１１２を挟んで形成されて、各カード（第１カード片１５０1，第２カード片１５０2，第３カード片１５０3，第４カード片１５０4及び第５カード片１５０5）の領域に、全て複数の綴じ穴１１２が形成されている。
カード１５０を分割して、第１カード片１５０1，第２カード片１５０2，第３カード片１５０3，第４カード片１５０4及び第５カード片１５０5を形成しても、それぞれに複数の綴じ具１０の綴杆部１２が貫挿されて綴じられることによって、確りと表紙１０１０に綴じられ、ずれたり外れたりしない。
【００１７】
前記切り離しミシン目１２４において切り離された各カード（第１カード片１５０1，第２カード片１５０2，第３カード片１５０3，第４カード片１５０4及び第５カード片１５０5）は、前記綴じ穴１１２に貫挿された綴じ具１０に綴じられた状態において、平面視略長方形のカード片を構成している。
もっとも、綴じ具１０は、綴じ具１０から離脱された状態においてカード１５０を構成するように形成されているので、単独のカード１５０としても利用できる。
【００１８】
前記切り離しミシン目１２４と前記他方の端縁１１６との交差領域に、切り離しミシン目１２４の切り離しを容易にするための切り欠き部１３０を形成されている。
切り欠き部１３０は、各カード（第１カード片１５０1，第２カード片１５０2，第３カード片１５０3，第４カード片１５０4及び第５カード片１５０5）の隅角部を円弧状にするように、円弧状壁面を対向するように切り離しミシン目１２４の端において構成され、略Ｖ字状に形成されている。
【００１９】
前記紙の他方の端縁１１６と前記紙の第１の交差端縁１２０及び前記紙の第２の交差端縁１２２とが交差する交差領域に、前記切り離しミシン目１２４と前記他方の端縁１１６との交差領域に形成された切り欠き部１３０と略々同じ切り欠き部１３２，切り欠き部１３４を形成されている。
【００２０】
カード１５０は、その表面及び／又は裏面に、文字を記入するときのガイドとなる罫線１４０が設けられている。罫線１４０は、カード１５０の長手方向にのびる線が各々平行に形成され、カード１５０の幅方向にのびる線が各々平行に形成されている。
罫線１４０は、カード１５０の長手方向にのびる線と幅方向にのびる線とが直交する。
罫線１４０は、カード用紙１１０の幅方向にのびる線が切り離しミシン目１２４と平行である。
【００２１】
カード用紙１１０を綴じる綴じ具１０は、表紙１０１０に設けられ、綴じ具１０に綴じるための綴じ穴１１２に挿入される綴環を構成する綴杆部１２を有し、前記綴環を構成する綴杆部１２は、複数並列され、前記綴環の数は、カード用紙１１０の綴じ穴１１２の数より多い。
ノート１０００は、表紙１０１０に設けられた綴じ具１０に綴じられたカード用紙１１０の下端縁である第２の交差端縁１２２より下方に、綴環を構成する綴杆部１２が存在し且つ表紙１０１０の下端縁とカード用紙１１０の下端縁である第２の交差端縁１２２との間に空間が形成されている。
而して、第２の交差端縁１２２及び最も下の第５カード片１５０5は、カード用紙１１０及びカード１５０が下方に垂れ下がっても、表表紙１０１２及び裏表紙１０１４から下方に食み出すことがない。
【００２２】
次に、前記実施の形態のノートの変形の実施の形態であるノートについて、主として図７ないし図２２に基づいて説明する。
図７は、図４図示ノートの変形の実施の形態であるノートの斜視図解図であり、図８は、この発明にかかるノートの綴じ具の斜視図解図であり、（Ａ）は全体の図で、（Ｂ）は部分的に拡大した図であり、図９は、この発明にかかるノートの綴じ具の斜視図解図であり、（Ａ）は全体の図で、（Ｂ）は部分的に拡大した図であり、（Ｃ）（Ｄ）は半割杆の図であり、図１０は、第１綴じ具部材の斜視図解図であり、図１１は、第２綴じ具部材の斜視図解図であり、図１２は、この発明にかかるノートの綴じ具を分解した状態における斜視図解図であり、図１３は、閉じた状態における綴じ具の正面図解図であり、図１４は、閉じた状態における綴じ具の背面図解図であり、図１５は、図１３Ａ−Ａ断面図解図であり、図１６は、図１３Ｂ−Ｂ断面図解図であり、図１７は、開き始めた状態における綴じ具の正面図解図であり、図１８は、開き始めた状態における綴じ具の背面図解図であり、図１９は、開いた状態における綴じ具の正面図解図であり、図２０は、開いた状態における綴じ具の背面図解図であり、図２１は、図１９Ａ−Ａ断面図解図であり、図２２は、図１９Ｂ−Ｂ断面図解図である。
【００２３】
この発明のノート１０００の綴じ具１０は、複数の綴杆部１２と、前記綴杆部１２を連結するための連結部１４と、前記綴杆部１２を構成する綴杆を開閉させるときの中心となる軸部１６とを備える綴じ具であって、綴杆部１２を捩って閉じている綴杆部１２を開くことができるように構成されている。
この綴じ具１０は、主として、一般的にセルリング式ノートと称されるノートに類似したノート用として構成され、綴じ具１０の綴杆部１２に沿ってカード用紙１１０を回転させて３６０度広げること、すなわち綴杆部１２に綴じられたカード用紙１１０を綴杆に沿って捲り、３６０度捲りかえし、閉じたときに両端にあるカード用紙１１０の表側と裏側とが軸部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、カード用紙１１０の表側及び裏側には、用紙、合成樹脂製ポケット等の表面側の表表紙の表側と裏面側の裏表紙の裏側とが含まれる。
【００２４】
前記綴杆部１２を構成する綴杆は、一対の綴杆が向き合うように、前記連結部１４を構成する一対の連結部１４の各々にその長手方向に適宜な間隔をおいて、連結部１４の外側部ないし上側部から突設され、前記綴杆部１２は、前記軸部１６を中心にして左右に分かれた、対称形である第１綴杆２０及び第２綴杆３０を備える。
前記連結部１４は、前記軸部１６を中心にして左右に分かれた、対称形である第１連結部５０及び第２連結部６０を備え、第１連結部５０及び第２連結部６０は、向こう側から手前側に連続して長手方向に直線状にのびる略柱状である。
【００２５】
この実施の形態においては、第１綴杆２０及び第１連結部５０は、第１綴じ具部材１８Ａに形成され、第２綴杆３０及び第２連結部６０は、第２綴じ具部材１８Ｂに形成され、第１綴じ具部材１８Ａと第２綴じ具部材１８Ｂとは、対称形に形成されている。
第１綴じ具部材１１８Ａは、合成樹脂で一体成形され、同様に、第２綴じ具部材１８Ｂは、合成樹脂で一体成形されている。
【００２６】
前記連結部１４は、綴杆部１２に綴じられたカード用紙１１０を第１綴杆２０及び第２綴杆３０に沿って捲り、３６０度捲りかえし、閉じたときに両端にあるカード用紙１１０の表側と裏側とが軸部１６を挟んで接し合うことができるように、下部において第１綴杆２０及び第２綴杆３０の基部と近接した位置に軸部１６を連設されている。
前記軸部１６は、前記連結部１４（第１連結部５０と第２連結部６０）の長手方向にのびて一対の連結部１４（第１連結部５０と第２連結部６０と）を連結し、前記第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたカード用紙１１０を第１綴杆２０及び第２綴杆３０に沿って捲り、３６０度捲りかえすことができるように構成されている。
【００２７】
綴杆部１２は、第１綴杆２０及び第２綴杆３０の連結部１４に連設された基部２０ａ及び基部３０ａとは反対側の自由端２０ｂ及び自由端３０ｂに、第１綴杆２０及び第２綴杆３０を閉鎖したときに係止するための綴杆係止部を形成されている。すなわち、第１綴杆２０は、基部２０ａとは反対側の頂部である自由端２０ｂに第１綴杆の綴杆係止部２２を形成され、第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴じ具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、カード用紙１１０を捲ることができるように、カード用紙１１０の綴じ穴１１２に貫挿される形状に構成されている。
前記第１綴杆の綴杆係止部２２及び第２綴杆の綴杆係止部３２は、係止する第１綴杆２０及び第２綴杆３０の回転方向と交差する方向に、すなわち軸部１６の長手方向に第１綴杆２０及び第２綴杆３０を相対移動して、第１綴杆２０及び第２綴杆３０の先端を合わせて閉鎖するときに係止し又は第１綴杆２０及び第２綴杆３０の先端を離間させるときに脱係するように形成されている。
【００２８】
第１綴杆２０は、閉じたときに略円環状の綴杆となるように、半円弧状の半割杆２０Ａから構成され、第２綴杆３０は、閉じたときに略円環状の綴杆となるように、半円弧状の半割杆３０Ａから構成され、第１綴杆２０と第２綴杆３０とは対向するように構成されている。
そして、カード用紙１１０に予め穿設された綴じ穴１１２に挿通して、カード用紙１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
そして、綴杆部１２を開くときにおいては、第１綴杆２０と第２綴杆３０とは、その第１綴杆の綴杆係止部２２及び第２綴杆の綴杆係止部３２を指で捩ることにより、係止された第１綴杆の綴杆係止部２２及び第２綴杆の綴杆係止部３２を外すことができるように構成されている。
【００２９】
第１綴杆２０を構成する半割杆２０Ａの先端に形成された第１綴杆の綴杆係止部２２を構成する先端の第１綴杆の凸部２４及びその第１綴杆の凸部２４に続く第１綴杆の凹部２６と、第２綴杆３０を構成する半割杆３０Ａの第２綴杆の綴杆係止部３２を構成する先端の第２綴杆の凸部３４及びその先端の第２綴杆の凸部３４に続く第２綴杆の凹部３６とは、第１綴杆２０と第２綴杆３０とを閉じたとき係合するように逆方向に向けて突き出しあるいは凹み形成されている。
すなわち、第１綴杆２０を構成する半割杆２０Ａの先端に形成された第１綴杆の綴杆係止部２２を構成する第１綴杆の凸部２４は、手前側に向けて突き出されている。そして、その第１綴杆の凸部２４に続く第１綴杆の凹部２６は、向こう側に向けて凹んでいる。半割杆３０Ａの先端に形成された第２綴杆の綴杆係止部３２を構成する第２綴杆の凸部３４は、向こう側に向けて突き出されている。そして、その先端の第２綴杆の凸部３４に続く第２綴杆の凹部３６は、手前側に向けて凹んでいる。
第１綴杆２０と第２綴杆３０とを閉じたとき係合するように、第１綴杆の凸部２４及び第１綴杆の凹部２６と第２綴杆の凸部３４及び第２綴杆の凹部３６とは、逆方向に向けて突き出しあるいは凹み形成されている。
半割杆２０Ａの第１綴杆の綴杆係止部２２を構成する第１綴杆の凸部２４と半割杆３０Ａの第２綴杆の綴杆係止部３２を構成する第２綴杆の凸部３４とは、反対方向に向けて突き出し設けられている。
また、半割杆２０Ａの第１綴杆の綴杆係止部２２を構成する第１綴杆の凹部２６と半割杆３０Ａの第２綴杆の綴杆係止部３２を構成する第２綴杆の凹部３６とは、反対方向に向けて凹み形成されている。
【００３０】
前記第１綴杆の綴杆係止部２２及び第２綴杆の綴杆係止部３２は、第１綴杆２０及び第２綴杆３０の回転方向及び回転方向と交差する方向に脱係しないように、第１綴杆２０及び第２綴杆３０の回転方向と交差する方向にのびる脱係防止部２８及び脱係防止部３８が形成されている。
脱係防止部２８は、頂部側において手前側に向けて突き出る鉤鼻状係止凸部２８ａと、基部２０ａ側において向こう側に向けて凹む係止凹部２８ｂとを有し、自由端側の係止凸部２８ａから続いて基部２０ａ側に係止凹部２８ｂが形成されている。
脱係防止部３８は、頂部側において向こう側に向けて突き出る鉤鼻状係止凸部３８ａと、基部３０ａ側において手前側に向けて凹む係止凹部３８ｂとを有し、自由端側の係止凸部３８ａから続いて基部３０ａ側に係止凹部３８ｂが形成されている。
第１綴杆２０と第２綴杆３０とを閉じたとき、脱係防止部２８の係止凸部２８ａは、脱係防止部３８の係止凹部３８ｂに嵌合され、脱係防止部３８の係止凸部３８ａは、脱係防止部２８の係止凹部２８ｂに嵌合され、係止凸部２８ａと係止凸部３８ａとは、第１綴杆２０と第２綴杆３０とを回転方向に引いたときに、突き当たる。
第１綴杆の綴杆係止部２２の脱係防止部２８は、第２綴杆の綴杆係止部３２の上部に向けて突き出され、第１綴杆の綴杆係止部２２と第２綴杆の綴杆係止部３２とを係合したときに、第２綴杆３０が上方に向けて衝撃などにより移動することを防止している。
第２綴杆の綴杆係止部３２の脱係防止部３８は、第１綴杆の綴杆係止部２２の上部に向けて突き出され、第１綴杆の綴杆係止部２２と第２綴杆の綴杆係止部３２とを係合したときに、第１綴杆２０が上方に向けて衝撃などにより移動することを防止している。
このように、この実施の形態においては、第１綴杆２０及び第２綴杆３０の頂部を指でねじることにより、第１綴じ具部材１８Ａの第１綴杆２０を向こう側に移動させ且つ第２綴じ具部材１８Ｂの第２綴杆３０を手前側に移動させて、第１綴杆２０の半割杆２０Ａの第１綴杆の綴杆係止部２２と第２綴杆３０の半割杆３０Ａの第２綴杆の綴杆係止部３２との係合を外すことができる。
なお、閉じるときにおいては、脱係防止部２８の係止凸部２８ａと脱係防止部３８の係止凸部３８ａとは、突き出たり滑りながら係止凹部３８ｂ及び係止凹部２８ｂに嵌まるように、なだらかな傾斜面が自由端から形成されている。
【００３１】
前記連結部１４を構成する第１綴じ具部材１８Ａの第１連結部５０は、第１連結部５０と第２連結部６０とが向き合う領域である第１連結部の対向部５６と、前記第１連結部の対向部５６と相対し第１綴杆２０が突設された第１連結部の外側部５２と、前記第１連結部の対向部５６と第１連結部の外側部５２との間において前記第１連結部の対向部５６及び第１連結部の外側部５２に交差する面で、軸部１６が連設された第１連結部の下側部５８とを備える。
前記連結部１４を構成する第２綴じ具部材１８Ｂの第２連結部６０は、第１連結部５０と第２連結部６０とが向き合う領域である第２連結部の対向部６６と、前記第２連結部の対向部６６と相対し第２綴杆３０が突設された第２連結部の外側部６２と、前記第２連結部の対向部６６と第２連結部の外側部６２との間において前記第２連結部の対向部６６及び第２連結部の外側部６２に交差する面で、軸部１６が連設された第２連結部の下側部６８とを備える。
この実施の形態においては、第１連結部５０及び第２連結部６０は、略四角柱状である。
そして、第１連結部の対向部５６と第２連結部の対向部６６とは、回転方向と直交し綴じ具１０を閉じたときに垂直にすなわち高さ方向にのびる平面であって、図１５及び図１６に示すように綴じ具１０を閉じたときに密着するように形成されている。
【００３２】
前記連結部１４は、その側面に、第１綴杆２０及び第２綴杆３０の開き角度をカード用紙１１０の挿入し易い角度、例えば約６０〜７０度に規制するための開き角規制部７０及び開き角規制部７２を形成されている。
第１綴じ具部材１８Ａの開き角規制部７０は、第１連結部５０の第１連結部の下側部５８の第１受け部８０に連続して形成された断面略半円弧状であり、第１連結部の下側部５８から下方に向けてのびる接合面７０ａを備え、一方、第２綴じ具部材１８Ｂの開き角規制部７２は、第２連結部６０の第２連結部の下側部６８の第２受け部９０に連続して形成された断面略半円弧状であり、第２連結部の下側部６８から下方に向けてのびる接合面７２ａを備える。
そして、綴杆部１２を閉じたときに、開き角規制部７０の接合面７０ａと開き角規制部７２の接合面７２ａとは、図１５において示すように、略７０度開いた傾斜面であって対向しており、綴杆部１２を開いたときに、開き角規制部７０の接合面７０ａと開き角規制部７２の接合面７２ａとは、図２１において示すように、接し合い、半割杆１０Ａと半割杆３０Ａの開き角度を、カード用紙１１０の挿入しや易い角度に規制する。
【００３３】
前記軸部１６は、シャフト部１００の受け部とシャフト部１００とを備える。
受け部は、第１連結部５０に連設された第１受け部８０と第２連結部６０に連設された第２受け部９０とから構成され、前記シャフト部１００は、前記連結部１４の長手方向に沿って、向こう側から手前側に連続してのび、第１綴じ具部材と第２綴じ具部材とを連結する。
前記第１受け部８０及び第２受け部９０は、前記綴杆部１２及び／又は連結部１４に連設され、シャフト部１００を装填するための開口部（第１受け部８０の開口部８４及び第２受け部９０の開口部９４）を側面に形成され、前記半割杆２０Ａ及び半割杆３０Ａの先端を合わせて閉鎖するとき及び半割杆２０Ａ及び半割杆３０Ａの先端を離間させるときに回転中心となり、第１綴杆２０及び第２綴杆３０に綴じられたカード用紙１１０を第１綴杆２０及び第２綴杆３０に沿って捲り、３６０度捲りかえすことができるように構成されている。
【００３４】
前記第１受け部８０及び第２受け部９０は、前記連結部１４の長手方向に間欠的に形成され、半割杆２０Ａ及び半割杆３０Ａが前記シャフト部１００を中心にして回転し且つ第１綴杆２０及び第２綴杆３０を開閉するときに長手方向に相対変移するように形成されている。
【００３５】
前記シャフト部１００は、断面円形の棒状の金属棒である。それに対応して、前記第１受け部８０及び第２受け部９０は、全体が弧状で、その内側の円弧部８６及び円弧部９６に前記シャフト部１００を装填され、且つその外側の上部において、前記半割杆２０Ａ及び半割杆３０Ａの張り出し方向とは反対方向に張り出すように、前記連結部１４が連設されている。
この実施の形態においては、シャフト部１００と第１受け部８０及び第２受け部９０とは別部材であり、第１受け部８０は、合成樹脂により、第１綴じ具部材１８Ａと一体に形成され、第２受け部９０は、合成樹脂により、第２綴じ具部材１８Ｂと一体に形成されている。
そして、シャフト部１００は、第１綴じ具部材１８Ａの最も向こう側の第１受け部８０から、第２綴じ具部材１８Ｂの最も手前側の第２受け部９０に至るように、形成されている。
【００３６】
第１綴じ具部材１８Ａ側の第１受け部８０は、シャフト部１００に装填されたときに、隣接する第１受け部８０の間に、第１収容部８２を間欠的に形成され、第２綴じ具部材１８Ｂ側の第２受け部９０は、シャフト部１００に装填されたときに、隣接する第２受け部９０の間に、第２収容部９２を間欠的に形成されている。
そして、第１綴杆２０と第２綴杆３０とを閉鎖したときに、軸部１６の軸線上において、第１綴じ具部材１８Ａは、第１収容部８２に第２綴じ具部材１８Ｂの第２受け部９０を収容させ、且つ、第２綴じ具部材１８Ｂは、第２収容部９２に第１綴じ具部材１８Ａの第１受け部８０を収容させて、隣接する第１綴じ具部材１８Ａの第１受け部８０と第２綴じ具部材１８Ｂの第２受け部９０との間及び隣接する第２綴じ具部材１８Ｂの第２受け部９０と第１綴じ具部材１８Ａの第１受け部８０との間に適宜な間隔をあけて整列される。隣接する第１綴じ具部材１８Ａの第１受け部８０と第２綴じ具部材１８Ｂの第２受け部９０との間及び隣接する第２綴じ具部材１８Ｂの第２受け部９０と第１綴じ具部材１８Ａの第１受け部８０との間における適宜な間隔とは、第１綴杆２０と第２綴杆３０とを連結部１４の長手方向すなわち手前側及び向こう側に向けて相対移動させて、第１綴杆の綴杆係止部２２と第２綴杆の綴杆係止部３２とを脱係させるために必要な長さをいう。
それとともに、第１綴じ具部材１８Ａと第２綴じ具部材１８Ｂとは、第１綴杆２０と第２綴杆３０とを開閉するときに半割杆２０Ａと半割杆３０Ａとを相対変移するように、前記シャフト部１００に摺動自在に装填されている。
この実施の形態においては、第１綴じ具部材１８Ａの第１綴杆２０を向こう側に移動させ且つ第２綴じ具部材１８Ｂの２綴杆３０を手前側に移動させて、閉じていた第１綴杆２０と第２綴杆３０とは、開く。
この実施の形態においては、第１綴じ具部材１８Ａの向こう側の第１受け部８０の開口部８４は、向こう側が塞がれている。又、第２綴じ具部材１８Ｂの手前側の第２受け部９０の開口部９４は、手前側が塞がれている。従って、シャフト部１００の向こう側端は向こう側の第１受け部８０により抜け出ることを防止され、シャフト部１００の手前側端は手前側の第２受け部９０により抜け出ることを防止される。
【００３７】
半割杆２０Ａの基部２０ａの外周部及び半割杆３０Ａの基部３０ａの外周部は、連結部１４の下部と同じ位置に、その下部が位置するように形成され、軸部１６の第１受け部８０の外側及び第２受け部９０の外側は、連結部１４の下部と同じ位置に、その上部が位置するように形成されている。
この実施の形態においては、軸部１６の第１受け部８０は、開口部８４が半割杆２０Ａの外周部に接し、軸部１６の第２受け部９０は、開口部９４が半割杆３０Ａの外周部に接し、第１連結部５０は、半割杆２０Ａの内周部から第１受け部８０の開口部８４までの間の高さを有し、第２連結部６０は、半割杆３０Ａの内周部から第２受け部９０の開口部９４までの間の高さを有している。
【００３８】
前記連結部１４の幅（幅方向における）は、軸部１６の第１受け部８０又は軸部１６の第２受け部９０の幅（幅方向における）の２分の１以下である。これは、第１連結部５０の幅と第２連結部６０の幅とを合わせた幅が、軸部１６の第１受け部８０及び軸部１６の第２受け部９０の幅と同等又はそれ以下の方が、カード用紙１１０を３６０度捲りかえして、軸部１６を挟んでカード用紙１１０の表面と裏面とを接し合わせるときに比較的間隔をあけずに接し合わせることができるので、そのようにするために構成されている。
【００３９】
前記第１連結部５０の中央あたりに存する前記第１綴じ具部材１８Ａの第１収容部８２と前記第２連結部６０の中央あたりに存する第２綴じ具部材１８Ｂの第２収容部９２との間に、前記シャフト部１００の長手方向にテンション（引張力又は圧縮力）をかける弾発部材１０２が、圧縮された状態で介装されている。弾発部材１０２は、鋼線をコイル形に巻いて作られたコイルバネにより形成され、筒形のコイルバネの輪の中にシャフト部１００を挿通されている。
そして、弾発部材１０２は、その向こう側端が第２綴じ具部材１８Ｂの第２受け部９０の手前側端に接し、その手前側端が第１綴じ具部材１８Ａの第１受け部８０の向こう側端に接して、復元力（均一な）によって第１綴じ具部材１８Ａを手前側に押し下げ且つ第２綴じ具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
その第１綴杆の綴杆係止部２２及び第２綴杆の綴杆係止部３２を指で捩ることにより、係止された第１綴杆の綴杆係止部２２及び第２綴杆の綴杆係止部３２を外すときには、弾発部材１０２の弾発力に抗して第１綴じ具部材１８Ａの第１綴杆２０を向こう側に移動させ且つ第２綴じ具部材１８Ｂの２綴杆３０を手前側に移動させて、閉じていた第１綴杆２０と第２綴杆３０とは開く。更に、第１綴杆２０と第２綴杆３０とは、幅方向において外側に（すなわち、第１綴杆２０を左側（表側）に回転させ、且つ第２綴杆３０を右側（裏側）に）、回転させて、カード用紙１１０を綴じたり外したりし易くすることができる。
【００４０】
綴じ具１０は、第１綴杆２０及び第２綴杆３０に、カード用紙１１０の高さ方向に適宜な間隔をあけて連続して設けられた綴じ穴１１２を貫挿し、カード用紙１１０の高さ方向にのびる綴じ代側端縁１１４の側に軸部１６を位置させ、綴じ穴１１２と綴じ代側端縁１１４との間に第１綴杆２０及び第２綴杆３０が架け渡されるようにして、カード用紙１１０を綴じ、ノートを形成する。
綴じ具１０は、綴じ具１０の長さ方向が、幅方向にのびる端縁に綴じ穴１１２を形成したカード用紙１１０の幅方向にのびて空間的に広がるように、カード用紙１１０を綴じて、ノートを形成してもよい。
【００４１】
綴じ具１０に綴じられたカード用紙１１０は、図２３において示すように、軸部１６側に向けて捲りかえされ、閉じられて積層されていたときのカード用紙の表側１１０ａとカード用紙の裏側１１０ｂとを軸部１６を挟んで接し合わせるようにして、筆記等に用いることができる。
【００４２】
この発明の実施の形態によれば、綴杆部１２及び連結部１４は、一対の第１綴じ具部材１８Ａ及び第２綴じ具部材１８Ｂの各々に形成され、前記綴杆部１２を構成する綴杆２０，３０は、第１綴じ具部材１８Ａ側の第１綴杆２０と第２綴じ具部材１８Ｂ側の第２綴杆３０とが向き合うように、前記連結部１４の長手方向に適宜な間隔をおいて、連結部１４の外側部ないし上側部から突設されているので、綴杆部１２を開いたときに綴杆部１２の最下部が例えば机の天板等の表面に接地して水平安定し易く、且つ綴杆部１２を適宜な角度に開き易い。
この発明の実施の形態によれば、綴杆部１２は、前記軸部１６を中心にして左右に分かれた、対称形である第１綴杆２０及び第２綴杆３０を備え、前記連結部１４は、前記軸部１６を中心にして左右に分かれた、対称形である第１連結部５０及び第２連結部６０を備えているので、同一の金型で左右の部材を成形することができ、製造がし易い。
この発明の実施の形態によれば、連結部１４は、向き合う第１連結部５０及び第２連結部６０の対向部５６，６６と、前記対向部５６，６６と相対し綴杆２０，３０が突設された外側部５２，６２と、前記対向部５６，６６と外側部５２，６２との間において前記対向部５６，６６及び外側部５２，６２に交差する面で、軸部１６が連設された下側部５８，６８とを備えているので、第１連結部の対向部５６と第２連結部の対向部６６とは、回転方向と直交し綴じ具１０を閉じたときに垂直にすなわち高さ方向にのびて空間的に広がる平面であって、綴じ具１０を閉じたときに密着するように形成すれば、綴じ具１０を閉じたときに第１綴杆の綴杆係止部２２と第２綴杆の綴杆係止部３２との係合状態を安定的に保つことができ、綴杆部１２を構成する第１綴杆２０と第２綴杆３０とにより構成される円環状の径を縮むように作用することを少なくすることができる。
この発明の実施の形態によれば、受け部８０，９０は、前記連結部１４の長手方向に間欠的に形成され、綴杆部１２が前記シャフト部１００を中心にして回転し且つ綴杆部１２を開閉するときに長手方向に相対変移するように形成されているので、複数の綴杆２０，３０で構成される綴杆部１２を一度に開閉させることができる。
この発明の実施の形態によれば、シャフト部１００は、断面円形の棒状であり、前記受け部８０，９０は、全体が弧状で、その内側の円弧部に前記シャフト部１００を装填され、且つその外側の上部において、前記綴杆２０，３０の張り出し方向とは反対方向に張り出すように、前記連結部１４が連設されているので、複数の綴杆２０，３０で構成される綴杆部１２を一度に開閉させることができ、且つ、綴杆部１２の最下部が例えば机の天板等の表面に接地して水平に安定し易く、且つ綴杆部１２を適宜な角度に開き易い。
この発明の実施の形態によれば、綴杆２０，３０の基部２０ａ，３０ａは、連結部１４の下部と同じ位置に、下部が位置するように形成され、軸部１６の受け部８０，９０は、連結部１４の下部と同じ位置に、上部が位置するように形成されているので、綴杆部１２を開いたときに綴杆部１２の最下部が例えば机の天板等の表面に接地して水平に安定し易く、且つ綴杆部１２を適宜な角度に開き易い。
この発明の実施の形態によれば、連結部１４の幅は、軸部１６の幅の２分の１以下であるので、軸部１６の幅よりはみ出すことがなく、カード用紙１１０を綴杆２０，３０に沿って捲り、３６０度開いたときにカード用紙１１０の表側と裏側との間の隙間が少なく、比較的平坦となり、筆記もし易い。
この発明の実施の形態によれば、軸部１６の受け部８０，９０は、受け部８０，９０の開口部８４，９４が綴杆２０，３０の外周部に接し、連結部１４は、綴杆２０，３０の内周部から受け部８０，９０の開口部８４，９４までの間の高さを有するので、カード用紙１１０を綴杆２０，３０に沿って捲り、３６０度開いたときにカード用紙の表側１１０ａと裏側１１０ｂとの間の隙間が少なく、比較的平坦となり、筆記もし易い。
この発明の実施の形態によれば、綴杆係止部２２，３２は、綴杆２０，３０の回転方向において係止及び脱係するように、第１綴杆２０の凸部２４及び凹部２６と第２綴杆３０の凹部３６及び凸部３４とが係合するように構成され、且つ、綴杆部１２を閉じたとき、綴杆２０，３０の回転方向及び回転方向と交差する方向に脱係しないように綴杆２０，３０の回転方向と交差する方向にのびる脱係防止部２８，３８が形成されているので、綴杆２０，３０の回転方向及び回転方向と交差する方向に、閉じられた綴杆の綴杆係止部２２，３２が脱係しにくい。
【００４３】
この発明の実施の綴じ具１０は、その綴杆部１２に、カード用紙１１０の綴じ穴１１２を貫挿させて綴じられた、ノートを構成でき、又、表表紙と裏表紙と背表紙とを備えた表紙に固定して、ファイル・バインダ類を構成できる。
【００４４】
この発明は、前記実施の形態に限らず、この発明の思想に基づき種々変更することができる。
図２４は、前記実施の形態の変形例である綴じ具の斜視図解図である。
この綴じ具２１０は、複数の綴杆部２１２と、前記綴杆部２１２を連結するための連結部２１４と、前記綴杆部２１２を構成する第１綴杆２２０と第２綴杆２３０とを開閉させるときの中心となるシャフト部３００を有する軸部２１６とを備える。
前記綴杆部２１２を構成する綴杆は、一対の第１綴杆２２０と第２綴杆２３０とが向き合うように、前記連結部２１４を構成する一対の第１連結部２５０と第２連結部２６０との各々に、その長手方向に適宜な間隔をおいて、連結部２１４の外側部ないし上側部から突設されている。
前記連結部２１４は、綴杆部２１２に綴じられたカード用紙１１０を第１綴杆２２０及び第２綴杆２３０に沿って捲り、３６０度捲りかえし、閉じたときに両端にあるカード用紙１１０の表側と裏側とが軸部２１６を挟んで接し合うことができるように、下部において第１綴杆２２０及び第２綴杆２３０の基部と近接した位置に軸部２１６を連設されている。
前記軸部２１６は、分離された、第１受け部２８０及び第１収容部２８２と第２受け部２９０及び第２収容部２９２とを備えており、前記連結部２１４の長手方向にのびて一対の第１連結部２５０と第２連結部２６０とを連結し、前記第１綴杆２２０と第２綴杆２３０との先端を合わせて閉鎖するとき及び第１綴杆２２０と第２綴杆２３０との先端を離間させるときに回転中心となり、綴杆部２１２に綴じられたカード用紙１１０を綴杆に沿って捲り、３６０度捲りかえすことができるように構成されている。
第１綴杆２２０及び第２綴杆２３０の基部は、第１連結部２５０及び第２連結部２６０の下部と同じ位置に、その第１綴杆２２０及び第２綴杆２３０の外周部の下部が位置するように形成され、軸部２１６を構成する第１受け部２８０及び第２受け部２９０は、第１連結部２５０及び第２連結部２６０の下部と同じ位置に、その上部が位置するように形成されている。
【００４５】
弾発部材１０２は、次のように構成してもよい。
図２５は、変形例の綴じ具を分解した状態における斜視図解図であり、図２６は、図２５図示綴じ具の断面図解図であり、（Ａ）は閉じた状態の断面図解図であり、（Ｂ）は開いた状態の断面図解図である。
図２５図示弾発部材１０２は、ねじりコイルバネからなり、巻線部１０２ａと巻線部１０２ａの両端から巻線部１０２ａの中心軸と直交ないし交差する方向に伸びる直線状の第１固定先端部１０２ｂと直線状の第２固定先端部１０２ｃとが連設され、ねじりモーメントが発生しない元の状態は、円周方向に第１固定先端部１０２ｂと第２固定先端部１０２ｃとが突き出されている。
そして、弾発部材１０２の巻線部１０２ａの両端から延びる先端部を支持するために、前記連結部１４に支持部５０ａ及び支持部６０ａが形成されている。
前記弾発部材１０２の巻線部１０２ａの両端から延びる固定先端部は、第１綴じ具部材１８Ａの第１連結部５０に形成された支持部５０ａ、及び前記支持部５０ａと対向する第２綴じ具部材１８Ｂの第２連結部６０の支持部６０ａに係止され、支持されている。
すなわち、一方の第１固定先端部１０２ｂは、第１連結部５０の支持部５０ａに支持され、また、もう一方の第２固定先端部１０２ｃは、第１固定先端部１０２ｂと向き合うように第２連結部６０の支持部６０ａに支持されている。
一方の固定先端部１０２ｂ及び他方の固定先端部１０２ｃは、元々開いた状態にあったが、第１綴杆２０と第２綴杆３０とが閉じた状態にあるときは、元々開いた状態にあったところからほぼ平行に接近させた第１固定先端部１０２ｂと第２固定先端部１０２ｃとが、連結部１４の支持部５０ａ，支持部６０ａに支持されている。すなわち、弾発部材１０２は、第１固定先端部１０２ｂが第１連結部５０の支持部５０ａに係止され且つ第２固定先端部１０２ｃが第２連結部６０の支持部６０ａに係止されてねじられた状態になる。
【００４６】
そして、弾発部材１０２は、その向こう側端が第２綴じ具部材１８Ｂの第２受け部９０の手前側端に接し、その手前側端が第１綴じ具部材１８Ａの第１受け部８０の向こう側端に接して、復元力（均一な）によって第１綴じ具部材１８Ａを手前側に押し下げ且つ第２綴じ具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
その第１綴杆の綴杆係止部２２及び第２綴杆の綴杆係止部３２を指で捩ることにより、係止された第１綴杆の綴杆係止部２２及び第２綴杆の綴杆係止部３２を外すときには、弾発部材１０２の弾発力に抗して第１綴じ具部材１８Ａの第１綴杆２０を向こう側に移動させ且つ第２綴じ具部材１８Ｂの２綴杆３０を手前側に移動させて、閉じていた第１綴杆２０と第２綴杆３０とを開く。
第１の綴杆２０の綴杆係止部２２を指で外すと、第１連結部５０と第２連結部６０とは、弾発部材１０２が元の状態に戻ろうとする力、すなわち一方の第１固定先端部１０２ｂと他方の第２固定先端部１０２ｃとが回転方向に回転して綴杆部１２を開くように力が働くことにより、回転方向に回転する。
このように、この実施の形態においては、第１の綴杆２０の第１の綴杆係止部２２および第２の綴杆３０の第２綴杆の綴杆係止部３２の係合を解除したとき、一方の第１固定先端部１０２ｂと他方の第２固定先端部１０２ｃとを円周方向において離れさせようとする力が働くことにより、第１の綴杆２０及び第１連結部５０と第２の綴杆３０及び第２連結部６０とが、開いた状態になる。
なお、前記実施の形態及び変形例においては、第１の綴杆２０と第２の綴杆３０とは、第１綴杆の綴杆係止部２２及び第２綴杆の綴杆係止部３２を指で捩ることにより、係止された第１綴杆の綴杆係止部２２及び第２綴杆の綴杆係止部３２の係合を外すと説明しているが、指で捩る以外の手段によって、第１綴杆の綴杆係止部２２及び第２綴杆の綴杆係止部３２の係合を外すことも、本件発明にかかる綴じ具に含まれていることは、勿論である。
【産業上の利用可能性】
【００４７】
この発明にかかるカード用紙は、そのままで、プリンタ用紙、用箋、メモ等として利用でき、分割してカード類として種々の用途に用いることができる。
【符号の説明】
【００４８】
１０，２１０  綴じ具
１２，２１２  綴杆部
１４，２１４  連結部
１６，２１６  軸部
１８Ａ  第１綴じ具部材
１８Ｂ  第２綴じ具部材
２０，２２０  第１綴杆
３０，２３０  第２綴杆
２０ａ，３０ａ  基部
２０ｂ，３０ｂ  自由端
２０Ａ，３０Ａ  半割杆
２２  第１綴杆の綴杆係止部
３２  第２綴杆の綴杆係止部
２４  第１綴杆の凸部
３４  第２綴杆の凸部
２６  第１綴杆の凹部
３６  第２綴杆の凹部
５０ａ，６０ａ  支持部
２８，３８  脱係防止部
２８ａ，３８ａ  係止凸部
２８ｂ，３８ｂ  係止凹部
５０，２５０  第１連結部
６０，２６０  第２連結部
５２  第１連結部の外側部
６２  第２連結部の外側部
５４  第１連結部の上側部
６４  第２連結部の上側部
５６  第１連結部の対向部
６６  第２連結部の対向部
５８  第１連結部の下側部
６８  第２連結部の下側部
７０，７２  角規制部
７０ａ，７２ａ  接合面
８０，２８０  第１受け部
９０，２９０  第２受け部
８２，２８２  第１収容部
９２，２９２  第２収容部
８４，９４  開口部
８６，９６  円弧部
１００，３００  シャフト部
１０２  弾発部材
１０２ａ  巻線部
１０２ｂ  第１固定先端部
１０２ｃ  第２固定先端部
１１０  カード用紙
１１０ａ  カード用紙の表側
１１０ｂ  カード用紙の裏側
１１２  綴じ穴
１１４  綴じ代側端縁（一方の端縁）
１１６  他方の端縁
１２０  第１の交差端縁
１２２  第２の交差端縁
１２４  切り離しミシン目
１２４1  第１の切り離しミシン目
１２４2  第２の切り離しミシン目
１２４3  第３の切り離しミシン目
１２４4  第４の切り離しミシン目
１３０，１３２，１３４  切り欠き部
１４０  罫線
１５０  カード
１５０1  第１カード片
１５０2  第２カード片
１５０3  第３カード片
１５０4  第４カード片
１５０5  第５カード片
１０００  ノート
１０１０  表紙
１０１２  表表紙
１０１４  裏表紙
【図１】
2014208412.tif 000003
【図２】
2014208412.tif 000004
【図３】
2014208412.tif 000005
【図４】
2014208412.tif 000006
【図５】
2014208412.tif 000007
【図６】
2014208412.tif 000008
【図７】
2014208412.tif 000009
【図８】
2014208412.tif 000010
【図９】
2014208412.tif 000011
【図１０】
2014208412.tif 000012
【図１１】
2014208412.tif 000013
【図１２】
2014208412.tif 000014
【図１３】
2014208412.tif 000015
【図１４】
2014208412.tif 000016
【図１５】
2014208412.tif 000017
【図１６】
2014208412.tif 000018
【図１７】
2014208412.tif 000019
【図１８】
2014208412.tif 000020
【図１９】
2014208412.tif 000021
【図２０】
2014208412.tif 000022
【図２１】
2014208412.tif 000023
【図２２】
2014208412.tif 000024
【図２３】
2014208412.tif 000025
【図２４】
2014208412.tif 000026
【図２５】
2014208412.tif 000027
【図２６】
2014208412.tif 000028
【図２７】
2014208412.tif 000029
【図２８】
2014208412.tif 000030